Podtech/llm-jp-corpus-v4-ja_patent huggingface dataset:
(57)【特許請求の範囲】
【請求項１】
織物または編物としてのシートが、通気性および通水性を有するムシロ状シート部分と、蔓科植物の成育に応じて同植物から延びる蔓のヒゲ状部分を巻き付かせるべく上記ムシロ状シート部分から上方へ波状に浮き上がるように同ムシロ状シート部分に織り込まれた付加的織込み部分とを備えて構成され、上記ムシロ状シート部分を立ち上げるように支持する支柱が設けられていることを特徴とする、蔓科植物育成用補助シート。
【請求項２】
上記ムシロ状シート部分が、淡色系のプラスチック材により構成されていることを特徴とする、請求項１に記載の蔓科植物育成用補助シート。
【発明の詳細な説明】
【技術分野】
【０００１】
本発明は、園芸用の蔓科植物を栽培する際に、その育成を補助するために用いられるシートに関する。
【背景技術】
【０００２】
畑地の畝に沿って農作物として栽培されるナスなどの植物の育成を補助するため、同植物の根元部付近において土壌の表面に接するようにカバーシートを敷く技術が開発されている。
【特許文献１】特願２００２−１０５３６６
【発明の開示】
【発明が解決しようとする課題】
【０００３】
解決しようとする問題点は、蔓科の植物が、その成長に伴い蔓を延ばしてゆくのに際し、どのような処置を施して、蔓の健やかな延長を実現させるかという点である。
【課題を解決するための手段】
【０００４】
本発明の蔓科植物育成用補助シートは、通気性および通水性を有するムシロ状シート部分と、蔓科植物の成育に応じて同植物から延び出る蔓のヒゲ状部分を巻き付かせるため上記ムシロ状シート部分から上方へ波状に浮き上がるように同ムシロ状シート部分に織り込まれた付加的織込み部分とを備えて構成され、上記ムシロ状シート部分を立ち上げるように支持する支柱が設けられていることを特徴としている。
【０００５】
また、本発明の蔓科植物育成用補助シートは、上記ムシロ状シート部分が、淡色系のプラスチック材により構成されていることを特徴とする。
【発明の効果】
【０００６】
本発明の蔓科植物育成用補助シートでは、ムシロ状シート部分により、雑草の繁殖が防止されるとともに、蔓科植物から上記ムシロ状シート部分の上面に沿って延び出た蔓のヒゲ状部分が、上記の波状に浮き上がるように起立して織り込まれた付加的織込み部分に巻き付いて、上記蔓の位置保持が風雨の際にも適切に行われるので、その蔓に花が咲き、実も豊かに実るようになる。
【０００７】
また、ムシロ状シート部分を支柱で支持するようにして起立させることにより、朝顔などの観賞用蔓科植物を栽培する場合にも、その蔓のヒゲ状部分を上記付加的織込み部分に巻き付かせて、効率よく育成することができる。
【０００８】
さらに、上記ムシロ状シート部分が淡色系のプラスチック材により構成されている場合は、上記蔓において成育する植物の実の下半部への上記シート部分からの太陽光の照り返しを実現させるので、その色付きなどの育成をむらなく助長する利点が得られる。
【発明を実施するための最良の形態】
【０００９】
蔓の位置保持が、通気性および通水性を有するムシロ状シート部分および同シート部分から波状に起立した付加的織込み部分によって適切に且つ十分に達成され、また上記ムシロ状シート部分を淡色系のプラスチック材で構成することにより太陽光の照り返しで農作物でも実の下半部の十分な成育が助長されるようになる。
【００１０】
また、本発明の蔓科植物育成用補助シートによれば、そのムシロ状シート部分を支柱で立ち上げるように支持して、これに沿い朝顔などの鑑賞用蔓科植物を適切に支持しながら育成することができる。
【実施例】
【００１１】
図１は本発明の一実施例としての蔓科植物育成用補助シートを示す斜視図、図２は、上記補助シートの使用状態を示す説明図である。
【００１２】
図１に示すように、織物または編物としてのシート１は、通気性および通水性を有する織物または編物としてのムシロ状シート部分２と、同ムシロ状シート部分２から波状に浮き上がるように同ムシロ状シート部分２に織り込まれた付加的織込み部分３とで構成されている。
【００１３】
そして、上述の素材の色としては、太陽光の照り返しによる植物への照射を向上させるように、白色や薄緑色などの淡色系のものが採用される。
【００１４】
図２は、本実施例の蔓科植物育成用補助シート１におけるムシロ状シート部分２を、植木鉢８などにおいて支柱９を用いて立ち上げるように支持し、これに沿い朝顔などの鑑賞用蔓科植物10を植え付けた状態を示している。このようにして、本実施例の蔓科植物育成用補助シートは、鑑賞用蔓科植物の育成に利用することができるが、シート１におけるムシロ状シート部分２や付加的織込み部分３の素材としては、光触媒を含まない通常のプラスチック材が用いられる。
【産業上の利用可能性】
【００１５】
本発明の蔓科植物育成用補助シートは、ビルの屋上やビル頂部の側壁などにも、簡単に敷設することができるので、これを利用して大規模に蔓科植物を繁茂させることにより、都市部における緑化問題の解決にも寄与することが可能である。
【図面の簡単な説明】
【００１６】
【図１】本発明の一実施例としての蔓科植物育成用補助シートを示す斜視図である。
【図２】上記補助シートの使用状態の一例を示す説明図である。
【符号の説明】
【００１７】
１  補助シート
２  ムシロ状シート部分
３  付加的織込み部分
８  植木鉢
９  支柱
10  鑑賞用蔓科植物
【図１】
0004202243.tif 000002
【図２】
0004202243.tif 000003
(57)【特許請求の範囲】
【請求項１】
構造体の表面にセメントを混和したポリマー分散液を塗布し被覆層を形成した後、該被覆層の表面を金属塩含有酸性水性溶液で処理することを特徴とするアンティーク様構造体の施工方法。
【請求項２】
金属塩が鉄塩を必須成分として含有する請求項１記載の方法。
【請求項３】
金属塩含有酸性水性溶液での処理の後表面を水洗、乾燥し、さらにポリマー系水性エマルジョンを塗布することからなる請求項１又は２記載の方法。
【請求項４】
構造体が舗装体である請求項１〜３のいずれか１項記載の方法。
【発明の詳細な説明】
【０００１】
【発明の属する技術分野】
本発明はアンティーク様構造体の施工方法に関する。
【０００２】
【従来の技術】
公園等の施設や環境を重視するような場所においては、建築物は無論のこと周知の環境についても落ち着いた雰囲気を醸し出すものであることが望まれ、これは広場や道路（車道や遊歩行路等）においても同様である。本発明ではこれらを構造体と称する。
しかしながら、広場や道路等を新設した場合、新しすぎて周囲の景観とはうまくマッチしていないのが現状である。
この様な不具合を解消するために、新設の構造体であっても古風な（アンティーク）色合いを人為的に作り出し、全体の環境にマッチした望みどおりの落ち着いた情景を得ることができれば好都合である。
従来、構造体にアンティーク感をもたらす方法の１つとして、以前に構造体を構築し、年月を経て自然に枯れさせる方法があるが、この方法では時間や費用（維持するための）等がかかりあまり有効ではない。また別の方法として、他所より古風な構築体を収集し移設する方法もあるが、費用的には非常に高価となってしまう。
また人為的にアンティーク感をもたらす方法として、従来のコンクリート舗装表面に顔料を施す方法があるが、ある時期に当然発生する補修工事においては、打換え工法を取らざるを得なく時間および費用的にも問題がある。またアスファルト舗装表面に耐久性（耐磨耗性）ポリマ加工し顔料処理する方法も知られているが、舗装自体の耐久性（耐磨耗性）に問題があり強度的に不満足なものである。
【０００３】
【発明が解決しようとする課題】
かかる観点から本発明の目的はかかる従来技術の問題点を解決することにあり、特に補修が容易であると共に高い耐久性をもつアンティーク様の構造体をもたらす新規施工方法を提供することにある。
【０００４】
【課題を解決するための手段】
本発明は、構造体の表面にセメントを混和したポリマー分散液を塗布し被覆層を形成した後、該被覆層の表面を金属塩含有酸性水性溶液で処理することを特徴とするアンティーク様構造体の施工方法である。
【０００５】
本発明の被処理構造体の典型例としては舗装体があるが、建築物等も包含される。アスファルト舗装体やアスファルトコンクリート舗装体等のアンティーク様の発現を要する構造体の表面にセメントを混和したポリマー分散液を塗布する。セメントを混和したポリマー分散液を構成するポリマー成分としてはアクリル系、酢酸ビニル系、エチレン酢酸ビニル系、合成ゴム系等の各種合成樹脂やゴム系のポリマーがある。これらポリマーのデイスパージョンやエマルジョン等の分散液にセメントを混合することにより被覆液が形成される。その際必要に応じ、炭酸カルシウム、クレー、タルク等の無機質粉末や骨材、各種混和剤等を添加してもよい。
この分散液の塗布厚には特に制限はないが、通常０．５〜５ｍｍ程度で十分である。塗布し表面が硬化した後に、その表面を金属塩含有酸性水性溶液で処理する。
【０００６】
金属塩含有酸性水性溶液の酸性源としては塩酸が好ましく用いられるが、他の適宜の酸も使用しうる。
金属塩としては塩化第一鉄、塩化第二鉄、塩化クロム、塩化銅、塩化マンガン、塩化ナトリウム等がある。これらは適宜の組合せで用いうるが、鉄塩、特に塩化第一鉄を必須成分として含むものが好ましい。
酸の量は水性溶液を酸性にするに十分な量であれば特に制限はないが、通常１〜５％程度が好ましい。
金属塩の量もそれらがセメント硬化物であるコンクリート分に作用しうる量であれば特に制限はなく、通常５〜６０％程度の範囲で用いられる。
金属塩含有酸性水性溶液処理は１回の処理（散布）でもよいが、複数回の処理を繰返してもよい。使用量は通常０．１〜１ｌ／ｍ2 程度である。
処理後は表面を水洗し乾燥させることが望ましい。
【０００７】
またその後にポリマー系水性エマルジョンを塗布することが望ましい。ポリマー系水性エマルジョンとしては（変性）メチルメタクリレートポリマー含有エマルジョン等がある。このエマルジョンにはさらにジエチレングリコールモノブチルエーテル等のポリエーテル類やジブチルフタレート等の可塑剤を含有させることも好ましい。ポリマー系水性エマルジョンの使用量は通常０．０５〜０．２ｌ／ｍ2 程度である。
【０００８】
また金属塩含有水性溶液での処理の前にマスキング処理を施して所望の模様を有するアンティーク様表面を形成することもできる。マスキング処理としては各種マスキングテープや発泡体の使用、さらにはシリコーン等の撥水性処理液の部分塗布等適宜の手段を利用しうる。
このようにして、補修が容易であるとともに、高い耐久性（セメント乳剤を浸透させ耐磨耗性が高い）を有するアンティーク風の表面をもつ構造体を容易に得ることができる。
【０００９】
【実施例】
ジェットセメント２０ｋｇ、硅砂６号１５ｋｇ、硅砂７号１５ｋｇ、ＳＢＲ系ポリマー１０ｋｇ、水５ｋｇ、減水剤５０ｇ及びジエットセッタ８０ｇを用い、モルタルミキサで乾燥状態で２分、湿状態で１分混和して塗布用分散液を調製した。
この分散液をアスファルトコンクリート舗装体表面に厚さ３ｍｍに塗布し硬化させた。
次いで、塩酸＜５％、塩化第１鉄＜５０％、塩化クロム＜５％その他の金属塩少量を含有する水性溶液（ケミスティン溶液）を２回に分けてブラシで上記の硬化した被覆層の上に塗布した（０．２；０．３；０．４；０．５ｌ／ｍ2 ）。
４時間後に表面を水洗し、乾燥後、水性メチルメタクリレートポリマーの水性エマルジョン（ジエチルグリコールモノブチルエーテル含有）（セメントンクリアシーラー）を塗布した。
目視観察の結果色合いをもつ構造体が得られた。多量の金属塩含有酸性水性溶液で処理した場合ほど色調は濃くなっていた。
(57)【特許請求の範囲】
【請求項１】
クロスヘッド（１０１）から押し出されてきたケーブルコア（１００Ａ）とメッセンジャワイヤ（１００Ｂ）との間の連結部分（１００Ｃ）にクロスヘッド（１０１）の出口近傍に設置されたストッパ（１）を間欠的に押出・突入させて窓（１００Ｄ）を開口する自己支持型ケ―ブルの窓開口装置であって、
前記ストッパ（１）に、窓開口部分の樹脂を誘導・排出させるための通過孔（１１）を設け、
この通過孔（１１）を入口（１１Ａ）と出口（１１Ｂ）とが斜めにずれた状態に形成し、
前記通過孔（１１）の周囲に窓開口部分として除去した樹脂（２）が付着するのを防止するための立壁（１２）を通過孔（１１）を取り囲むように形成したことを特徴とする自己支持型ケーブルの窓開口装置。
【発明の詳細な説明】
【０００１】
【発明の属する技術分野】
この発明は、自己支持型ケーブルの窓開口装置に関するものである。
【０００２】
【従来の技術】
自己支持型ケーブルとは、ケーブルコアとメッセンジャワイヤ間を薄肉の支持体にて連結した構造のケーブルであり、例えば図４に示すように、連結部分１００Ｃに窓１００Ｄが開口されている。なお、図中符号１００Ａはケーブルコア、１００Ｂがメッセンジャワイヤを示す。
【０００３】
このような窓の開口のため、クロスヘッド１０１の出口近傍に窓開口装置が設置されているが、これには例えば図５に示すように、エアーシリンダ１０で進退される略角棒状（若しくは板状）のストッパ１０２が用いられており、ストッパ１０２が前進移動して連結部分（首部）の一部を突き抜けるようにして窓１００Ｄを開口させている。
【０００４】
【発明が解決しようとする課題】
しかしながら、このように作動する窓開口装置では、ストッパが突入した連結部分では特に樹脂を逃がすガイド手段等を設けていないから、ストッパの周囲に付着したり、開口された窓の近傍にまとまって堆積するなどの不都合を生じている。
【０００５】
そこで、この発明は、上記した欠点に鑑み、窓の開口のために除去された余剰の樹脂がケーブルに付着したり、ストッパの先端側（開口動作を行う部分）に付着するのを防止し、窓の開口作業に支障のないように外部へ樹脂を排除できる自己支持型ケーブルの窓開口装置を提供することを目的とするものである。
【０００６】
【課題を解決するための手段】
上記目的を達成するため、この発明は、クロスヘッドから押し出されてきたケーブルコアとメッセンジャワイヤとの間の連結部分にクロスヘッドの出口近傍に設置されたストッパを間欠的に押出・突入させて窓を開口する自己支持型ケ―ブルの窓開口装置であって、前記ストッパに、窓開口部分の樹脂を誘導・排出させるための通過孔を設け、この通過孔を入口と出口とが斜めにずれた状態に形成し、前記通過孔の周囲に窓開口部分として除去した樹脂が付着するのを防止するための立壁を通過孔を取り囲むように形成したものである。
【０００７】
【発明の実施の形態】
以下、この発明の好適な一実施例について添付図面を参照しながら説明する。
図１はこの発明にかかる自己支持型ケーブルの窓開口装置に使用するストッパ１を示すものであり、このストッパ１は、略角棒状に形成されており、先端部に通過孔１１を穿設している。
【０００８】
このストッパ１の通過孔１１は、入口１１Ａと出口１１Ｂとが斜めにずれた状態で形成されており、図２に示すように、さらにこの通過孔１１の周囲には、ケーブル（ケーブルコアとメッセンジャワイヤ）側に窓開口部分として除去した樹脂２（図３参照）が付着するのを防止するための立壁１２が通過孔１１を取り囲むように形成されている。
【０００９】
従って、この実施例によれば、ストッパ１が間欠的に前進して未硬化の連結部分に突入すると、このストッパ１の先端部分に対応する連結部分の樹脂２が除去されるので、この部分に窓が開口される。
【００１０】
またこの排除される樹脂２は、押し出されるケーブルの押出力により、ストッパ１の入口１１Ａから通過孔１１に進入し、出口１１Ｂから排出されていく。その結果、この出口１１Ｂから排出された樹脂２は、立壁１２に両側を規制されているから、特にケーブルコア１００Ａ側等に垂れ落ちて堆積するといったこともなく、ストッパ１の基端側に向けてそのまま押し出されてケーブル外へ除去される。
【００１１】
以上説明してきたように、この発明によれば、クロスヘッドから押し出されてきたケーブルコアとメッセンジャワイヤとの間の連結部分にクロスヘッドの出口近傍に設置されたストッパを間欠的に押出・突入させて窓を開口する自己支持型ケ―ブルの窓開口装置であって、前記ストッパに、窓開口部分の樹脂を誘導・排出させるための通過孔を設け、この通過孔を入口と出口とが斜めにずれた状態に形成し、前記通過孔の周囲に窓開口部分として除去した樹脂が付着するのを防止するための立壁を通過孔を取り囲むように形成したので、クロスヘッドから押し出されるケーブルの押出力を利用して窓開口部分の余剰の樹脂をストッパの通過孔に確実に導入し、外部へ排出させることができるようになり、余剰の樹脂がその後ケーブルに付着したり、ストッパの先端部に付着・堆積して窓開口作業に支障をもたらすといったトラブルを防止できる高品質の窓開口装置が提供できる。
【図面の簡単な説明】
【図１】この発明の自己支持型ケーブルの窓開口装置を示す概略構成図。
【図２】この発明の作用を示す説明図。
【図３】この発明の作用を示す概略斜視図。
【図４】ケーブルに開口される窓を示す説明図。
【図５】ケーブルに窓を開口するとき従来型の窓開口装置を示す斜視図。
【符号の説明】
１    ストッパ
１１  通過孔
１２  立壁
２    樹脂
１０  エアーシリンダ
１００Ａ  ケーブルコア
１００Ｂ  メッセンジャワイヤ
１００Ｃ  連結部
１００Ｄ  窓
１０１    クロスヘッド
【図１】
0004049868.tif 000002
【図２】
0004049868.tif 000003
【図３】
0004049868.tif 000004
【図４】
0004049868.tif 000005
【図５】
0004049868.tif 000006
(57)【特許請求の範囲】
【請求項１】
片側で短絡された直線的な導波管（１）と、該導波管（１）内に配置されたダイオード、有利にはガンダイオードとから成るマイクロ波発振器であって、前記ダイオードに、導波管壁を貫くように貫通案内された結合ピン（６）を介して供給電圧が印加されるようになっており、更に、発振器周波数を同調させるための、導波管（１）に突入した少なくとも１つの調整ピン（１１）が設けられており、しかも該調整ピン（１１）の侵入深さが調節可能である形式のものにおいて、
調整ピン（１１）が、結合ピン（６）に鋭角の角度で向けられており、導波管（１）に突入する調整ピン（１１）の端部が、結合ピン（６）の横断面拡張部（９）と遮断フィルタ構造（１０）との間でダイオード（２）の共振空洞に侵入していることを特徴とする、マイクロ波発振器。
【請求項２】
結合ピン（６）が導波管（１）内で、横断面の飛躍的に拡張した横断面拡張部（９）を備えており、該横断面拡張部が、共振回路を形成しており、前記結合ピン（６）が導波管（１）の外部に遮断フィルタ構造（１０）を有している、請求項１記載のマイクロ波発振器。
【請求項３】
導波管（１）の短絡壁（１２）が移動可能である、請求項１記載のマイクロ波発振器。
【発明の詳細な説明】
背景技術
本発明は、片側で短絡された導波管と、該導波管内に配置されたダイオード、有利にはガンダイオードとから成るマイクロ波発振器であって、前記ダイオードに、導波管壁を貫くように貫通案内された結合ピンを介して供給電圧が印加されるようになっており、更に、発振器周波数を同調させるための、導波管に突入した少なくとも１つの調整ピンが設けられており、しかも該調整ピンの侵入深さが調節可能である形式のものに関する。
ガンダイオードを有するこのような形式のマイクロ波発振器は、例えばドイツ連邦共和国特許出願公告第２８２６７６７号明細書又はドイツ連邦共和国特許出願公開第２７０９２１０号明細書に基づき公知である。この公知先行技術の構成では、調整ピンが、ガンダイオードを保持する導波管の小幅側に配置されているか（第１の場合）、又は広幅側に配置されている（第２の場合）。つまり第１の場合には調整ピンが、供給電圧をガンダイオードに供給する結合ピンに対して直角に位置調整されており、第２の場合は結合ピンに対して平行に位置調整されている。通常、このようなマイクロ波発振器の場合には、導波管の短絡壁が移動可能であり、これによって発振器周波数のための、誘導効果による同調手段が与えられている。この同調は、主として発振器から送出される出力に影響を与える。供給電圧をガンダイオードに供給する結合ピンは、導波管に通じた貫通案内開口内に遮断フィルタ構造（チョーク）を備えて設けられており、これにより発振器出力の一部が貫通案内部を通って不本意に流出することが防止される。
本発明の課題は、冒頭で述べた形式のマイクロ波発振器を改良して、該マイクロ波発振器の周波数調整を出来るだけ簡単に実施することの出来るようなマイクロ波発振器を提供することである。
発明の利点
この課題は請求項１に記載した様に、調整ピンが、供給電圧をダイオードに供給する結合ピンに鋭角の角度で向けられており、導波管に突入する調整ピンの端部が、結合ピンの横断面拡張部と遮断フィルタ構造との間でダイオードの共振空洞に侵入していることによって解決される。これにより、発振器の共振周波数のための、調整ピンの侵入深さに対する調整感度は、公知の構成におけるように調整ピンを平行又は直角に向ける場合に比べて低くなる。すなわち、共振周波数の変化量は、ダイオードの周囲に形成される電界へ侵入する調整ピンの侵入深さの変化量に対して、過度に敏感に応答しなくなる。
請求項２以下に記載したように、結合ピンが横断面の飛躍的に拡張した横断面拡張部を備えており、該横断面拡張部が共振回路を形成しており、調整ピンが、前記横断面拡張部と結合ピンに設けられた遮断フィルタ構造との間で結合ピンに向けられていると有利である。
実施例の説明
以下に、図面につき本発明の実施例を詳しく説明する。
図示のマイクロ波発振器は、片側で短絡された導波管１を有しており、この導波管内には、アクティブな発振器素子として作用するダイオード２、有利にはガンダイオードが配置されている。このダイオード２は、ヒートシンクとして働く保持体３によって保持される。導波管１の導波管壁４には開口５が設けられており、この開口内に、ダイオード２を保持する保持体３が挿入可能である。
ダイオード２には、結合ピン６を介して所要の供給電圧が供給される。この結合ピン６は、ダイオード２とは反対の側に位置する導波管壁８に設けられた貫通案内部７を貫通して導波管１に突入していて、ダイオード２のケーシングと共に電気的な接点を形成する。結合ピン６のダイオード側の端部には、横断面の飛躍的に拡張した横断面拡張部９が設けられており、この横断面拡張部は共振回路を形成する。この飛躍的な横断面拡張部９は、結合ピン６に装着されたディスクであるか又は結合ピン６に一体に旋削加工されていて良い。貫通案内部７において結合ピン６は、遮断フィルタ構造１０（チョーク）を有しており、この遮断フィルタ構造は、発振器エネルギの一部が貫通案内部７を通じて漏出されることを防止する。
発振器周波数を所望の値に同調させることが出来るようにするためには、調整ピン１１が設けられている。この調整ピン１１は、導波管壁８を貫通して導波管１に突入しており、しかも、この調整ピン１１の侵入深さは可変である。調整ピン１１は、結合ピン６に対して鋭角の角度で位置調整されている。これにより調整ピン１１は、横断面拡張部９の上方に位置する、ダイオード２の共振空胴に直接に侵入して、ダイオード２の周囲に広がる電界を離調させることが出来る。調整ピン１１が斜めに配置されていることに基づき、この調整ピン１１の、横断面拡張部９の外縁部に対する距離は、横断面拡張部９の内側領域に対する距離よりも大きくなっている。しかし、横断面拡張部９の外縁部における電界濃度は、結合ピン６を取り囲む内側領域における電界濃度よりも著しく高いので、調整ピン１１が、横断面拡張部９の外縁部に対して大きな距離を有し、内側領域に対しては小さな距離を有することに基づき、調整ピン１１は、弱い方の電界に対して大きな影響を与えることになる。マイクロ波発振器の共振周波数を変化させるためには、弱い方の電界に侵入する調整ピン１１の侵入深さを、調整ピン１１が主として、高い方の電界濃度に対してのみ影響を与えるような配置構成に比べてかなり大きく変化させることが必要となる。これに加えて、横断面拡張部９の上方における電界濃度は、一般的に云って、ダイオードに近い、横断面拡張部９の下方における電界濃度よりも低い。つまりこのような配置を採用すると、発振器の共振周波数のための調整動作の応答感度が低くなり、このことは調整動作を簡単にする。更に共振周波数と、調整ピン１１の侵入深さとの関係は、十分に線状である。
有利にはねじとして形成される調整ピン１１は、結合ピン６を環状に取り囲む任意の位置で、横断面拡張部９と遮断フィルタ構造１０との間で位置調整されていて良い。周波数同調のために必要とされる場合には、複数の調整ピンを導波管壁８に設けるか、又は導波管壁４にも設けることが出来る。
導波管１の短絡壁１２が、ダイオードに対する距離が可変となるねじとして形成されていると、特に発振器の出力のための付加的な同調手段が得られる。
0004049817.tif 000002
(57)【特許請求の範囲】
【請求項１】
スイッチボディに形成したノブ取付孔にロータリーノブを回転可能に組み付けるとともに、ロータリーノブに形成した中心孔にプッシュノブを進退可能に組み付けたスイッチ装置であって、
円筒形の第１ガイド部材とこの第１ガイド部材の内側に同心状に形成した円筒形の第２ガイド部材を有するノブホルダーを前記スイッチボディに固定し、
前記ロータリーノブを前記第１ガイド部材に回転可能に嵌合することにより前記ノブ取付孔に所要の遊びをもってかつ同心状に組み付け、
前記プッシュノブを前記第２ガイド部材に進退可能に嵌合することにより前記ロータリーノブの中心孔に所要の遊びをもって、かつ同心状に組み付けたことを特徴とするスイッチ装置。
【発明の詳細な説明】
【０００１】
【発明の属する技術分野】
本発明はスイッチ装置に関し、より詳しくはロータリーノブの中心孔にプッシュノブを進退可能に組み付けてロータリースイッチととプッシュスイッチの両機能を備えたスイッチ装置に関する。
【０００２】
【従来の技術】
一般に、この種のスイッチ装置では、スイッチボディに形成したノブ取付孔にロータリーノブを回転可能に組付け、ロータリーノブに形成した中心孔にプッシュノブを進退可能に嵌合している。
【０００３】
【発明が解決しようとする課題】
従来のスイッチ装置では、ロータリーノブの中心とノブ取付孔の中心がずれて見栄えが悪くなることがある。
また、ロータリーノブの中心孔にプッシュノブを嵌合しているので、ロータリーノブを回したとき、プッシュノブが動いたり、プッシュノブを押したときロータリーノブが動いてしまうことがある。
一方、ロータリーノブとプッシュノブが互いに連動しないようにロータリーノブの中心孔とプッシュノブとの間に遊びを設けると、プッシュノブの位置ずれが生じて、見栄えが悪くなる。
本発明はかかる点に鑑み、ロータリーノブとプッシュノブ間の連動を防止するとともにロータリーノブとプッシュノブの位置ずれを防止できるスイッチ装置を提供することを目的とする。
【０００４】
【課題を解決するための手段】
請求項１に記載の発明は、スイッチボディに形成したノブ取付孔にロータリーノブを回転可能に組み付けるとともに、ロータリーノブに形成した中心孔にプッシュノブを進退可能に組み付けたスイッチ装置であって、
円筒形の第１ガイド部材とこの第１ガイド部材の内側に同心状に形成した円筒形の第２ガイド部材を有するノブホルダーを前記スイッチボディに固定し、
前記ロータリーノブを前記第１ガイド部材に回転可能に嵌合することにより前記ノブ取付孔に所要の遊びをもってかつ同心状に組み付け、
前記プッシュノブを前記第２ガイド部材に進退可能に嵌合することにより前記ロータリーノブの中心孔に所要の遊びをもって、かつ同心状に組み付けたことを特徴とする。
【０００５】
【発明の作用・効果】
本発明によれば、ロータリーノブを第１ガイド部に嵌合させ、プッシュノブを第２ガイド部に嵌合し、両ガイド部を有するノブホルダーをスイッチボディに固定したので、ロータリーノブとノブ取付孔の間及びロータリーノブの中心孔とプッシュノブの間に遊びを設けてもロータリーノブ及びプッシュノブの位置ずれが生じない。
また、ロータリーノブの中心孔とプッシュノブの間に遊びを設けることによりロータリーノブの回転操作が円滑になるとともにロータリーノブとプッシュノブの連動を防止できる。
【０００６】
【発明の実施の形態】
以下に本発明を図面に基づき説明するに、図１には本発明の一実施形態に係るスイッチ装置が示されている。当該スイッチ装置１０はスイッチボディ１１、スイッチボディ１１の前面に形成したノブ取付孔１２に組付けたロータリーノブ１３、ロータリーノブ１３の前面に形成した中心孔１４に組付けたプッシュノブ１５、スイッチボディ１１の裏蓋を兼用するプリント配線基板１６及びノブホルダー１７を備えている。
スイッチボディ１１には位置決め用の突起１８が成形されている。一方、ノブホルダー１７に位置決め孔１９が形成されている。ノブホルダー１７は位置決め用突起１８を位置決め孔１９に嵌合することで、スイッチボディ１１のノブ取付孔１２に対して位置決めされ、ビス２０でスイッチボディ１１に固定されている。
【０００７】
ノブホルダー１７には円筒形の第１ガイド部２１と、この内側に円筒形の第２ガイド部２２が成形されている。ロータリーノブ１３は第１ガイド部２１に回転可能に嵌合させることで、ノブ取付孔１２に所要の遊びをもって、かつ同心状に組付けられている。また、ロータリーノブ１３の内端にはフランジ部２３が形成され、該フランジ部２３をノブ取付孔１２の内端部に係合させてロータリーノブ１３をノブ取付孔１２から抜け止めし、ノブホルダー１７に設けたリブ２４でフランジ部２３を内側から支持している。
ノブホルダー１７には凹部２５が形成され、凹部２５にコンタクトホルダー２６が摺動可能に格納されている。コンタクトホルダー２６はロータリーノブ１３と一体に回動するように同ノブ１３の内端に連結されている。コンタクトホルダー２６に保持された可動接点２７はプリント配線基板１６に固着した固定接点に摺接している。
【０００８】
プッシュノブ１５は裏面側に外側筒部２８と内側筒部２９を有し、外側筒部２８をノブホルダー１７の第２ガイド部２２に進退可能に嵌合させることで、ロータリーノブ１３の中心孔１４に所要の遊びをもって、かつ同心状に組付けられ、内側筒部２９の後端がプリント配線基板１６に固着したスイッチ３０に当接している。内側筒部２９にスリット３１が形成され、ノブホルダー１７に設けた係合片３２が係合してプッシュノブ１５が中心孔１４から抜け止めされている。
【０００９】
本実施形態に係るスイッチ装置１０の構造は以上の通りであって、ロータリーノブ１３を第１ガイド部２１に嵌合させ、プッシュノブ１５を第２ガイド部２２に嵌合し、両ガイド部２１，２２を有するノブホルダー１７を位置決め用突起１８と位置決め孔１９でノブ取付孔１２に対して位置決めしてスイッチボディ１１に固定したので、位置ずれすることなくロータリーノブ１３をノブ取付孔１２に同心状に配設でき、かつプッシュノブ１５をロータリーノブ１３の中心孔１４に同心状に配設できる。
また、ノブ取付孔１２とロータリーノブ１３の間及び中心孔１４とプッシュノブ１５の間に所要の遊びをもたせることができるので、ロータリーノブ１３の回転操作が円滑になるとともに、ロータリーノブ１３とプッシュノブ１５との連動を防止できる。
【図面の簡単な説明】
【図１】本発明の一実施形態に係るスイッチ装置を示す断面図である。
【符号の説明】
１０…スイッチ装置、１１…スイッチボディ、１２…ノブ取付孔、１３…ロータリーノブ、１４…中心孔、１５…プッシュノブ、１７…ノブホルダー、２１…第１ガイド部、２２…第２ガイド部。
【図１】
0004049879.tif 000002
(57)【特許請求の範囲】
【請求項１】
ジャイロ経路長制御をリセットする経路長リセット手段と、ディザリング信号に応答してリングレーザージャイロをディザリングするディザリング手段とを具備するリングレーザージャイロにおいて、
経路長を表わす直流信号を積分し且つその直流信号に応答して経路長を変化させる手段を具備する経路長リセット手段；と
リセット信号に応答し、リセット信号が存在し且つディザリング信号があらかじめ選択された状態にある場合に直流信号を特定のレベルに設定する同期手段とを特徴とするリングレーザジャイロ。
【請求項２】
コンデンサを具備する積分器と；リセット信号により動作されて、コンデンサを放電させるスイッチとを有することをさらに特徴とする請求項１記載のリングレーザージャイロ。
【請求項３】
ディザ信号をクロック信号とし且つリセット信号をデータ入力として、リセット信号を出力として発生するフリップフロップを有することをさらに特徴とする請求項２記載のリングレーザジャイロ。
【請求項４】
ディザ信号からクロックタイミング信号を発生する手段と；
リセット信号をクロックタイミング信号によってクロッキングして、直流信号を特定のレベルに設定する手段と
をさらに有することを特徴とする請求項１記載のリングレーザージャイロ。
【発明の詳細な説明】
発明の技術分野
本発明はリングレーザージャイロに関し、特に、リングレーザージャイロ（ＲＬＧ）における経路長制御リセットに起因するディザ誘導誤差を減少させる技法に関する。
発明の背景
リングレーザージャイロにおけるレーザー経路長のリセット又は調整は、その正確さと感度を最適化するために実行されるが、リセット中の遷移の影響によってジャイロの性能が一時的に劣化することがありうる。しかし、リセット間隔の間にジャイロ出力を補間することによって、劣化を軽減できる。
リングレーザージャイロを「ディザ」することができるが、これは、２本のレーザービームが互いにロックオンするのを阻止するように２本のレーザービームの位相差を操作するためにリングレーザージャイロを正転・反転させることから成る機械的プロセスである。ディザ周波数に起因する影響を除去するために、ジャイロの出力をフィルタリングすることができる。ところが、リングレーザージャイロをディザリングすると、頻繁に見られることであるが、リセット信号の開始時と終了時で完全ディザサイクルに関するディザ信号の位相が同一でない場合には、その差がフィルタを通過するジャイロ出力に遷移を発生させるので、ジャイロ経路長リセットプロセスは複雑になってしまう。
発明の開示
本発明の目的は、リングレーザージャイロにおける経路長制御リセットに起因するディザ誘導誤差を減少させることである。
本発明によれば、リセット信号の開始時と終了時でディザリング信号のディザサイクルに対する位相が同一であるように、経路長リセットはジャイロディザリングと同期される。
本発明によれば、ジャイロ経路長をリセットする経路長リセット手段と、ディザリング信号に応答してジャイロをディザリングするディザリング手段とを具備するリングレーザージャイロにおいて、リセット手段は、リセット信号に応答して、経路長を表わす直流信号を積分し且つその直流信号に応答して経路長を変化させる手段を具備し、同期手段は、リセット信号が存在し且つディザリング信号が完全ディザサイクルに対してあらかじめ選択された位相にある場合にのみ、直流信号を特定のレベルに設定する。
本発明によれば、リセット信号はディザリング信号により積分器に対してクロッキングされる。
本発明のその他の目的，利点及び特徴は、以下の１つ又は複数の実施形態の説明から明らかになるであろう。
【図面の簡単な説明】
図１は、本発明を具現化したリングレーザージャイロの機能ブロック線図である。
図２は、リングレーザージャイロにおけるディザ信号、リセット信号及びフィルタリング済ジャイロ速度出力信号を共通時間軸に対して示す。
発明を実施するのに最良の態様
図１は典型的なリングレーザージャイロ１０を示す。リングレーザージャイロ１０は、リングレーザージャイロ内部のレーザーエネルギー（光）を受け取って、出力線１４ａへ信号Ｓ１を発生するレーザーパワー検出器１４を含む。信号Ｓ１は前置増幅器１６及び交流増幅器／フィルタ１８により処理され、光のパワーを表わす信号Ｓ２が復調器２０に印加される。信号発生器２２は方形波ＰＬＣ変調信号Ｓ４を発生し、この信号は復調器２０に印加される。リセット指令発生器２３は信号線２３ａへＰＬＣリセット指令信号（ＰＬＣリセット）を発生し、この信号はエッジ感知フリップフロップ２４のデータ入力端子２４ａに印加される。復調器２０の出力は、ジャイロ１０の最大レーザーパワーからの偏差を表わす大きさを有する信号Ｓ５である。信号Ｓ５は、フリップフロップ２４の出力Ｓ６によりリセットされる積分器２６に印加される。ＰＬＣリセットをフリップフロップを介して比較器３２の出力であるクロックパルスＳ７によりクロックすると、出力信号Ｓ６は状態を変え、スイッチ２６ａを動作させて、フィードバックコンデンサ２６ｂを放電させる。これにより積分器２６がリセットされ、信号Ｓ８は選択されたレベル、たとえば、ゼロになる。ディザ発生器３０はディザ信号を発生する。このディザ信号は出力端子３０ａから比較器３２に供給され、比較器３２はディザ信号７と同期した、図２に正弦波として示されている、クロック信号Ｓ７を発生する。ディザ信号は、ジャイロをディザ信号の周波数でディザするためにジャイロに機械的に接続されたディザモータ３３に印加される。
積分器２６は信号Ｓ５を積分し、その出力Ｓ８は反転（１８０度の位相ずれ）出力端子３４ａ，３４ｂを有する差動ドライバ３４に印加され、それら２つの出力は加算器３８で信号Ｓ９，Ｓ１０と加算される。加算器３８の出力は、ジャイロ１０に機械的に結合された変換器３６を駆動し、変換器３６は空洞内のレーザーパワーを最適化するように長さを変える。変調信号Ｓ４は変換器に印加されて、変換器の変位を強調する。詳細にいえば、変調信号Ｓ４は、一方の加算器３８ａにＡＣ結合される出力を備えたインバータ４０に印加され、インバータ４０は信号Ｓ１０を発生する。変調信号Ｓ４は他方の加算器３８ｂにもＡＣ結合されるが、非反転状態である。
積分器をリセットする信号Ｓ６が発生されるときと、それが終了するときのディザ信号の位相は同じである。これにより、ディザ信号とその方形波導関数である信号Ｓ７を示す図２に示されている問題が取り除かれる。ディザ機能及びリセット機能を有する従来のリングレーザージャイロにおいては、ＰＬＣリセット信号は、ディザ信号に対して、ディザ信号上の１点４０で始まり、異なる位置を有する別の点４２で終わることができ、そこで、ジャイロ速度出力ＧＲＯにディザ誘導遷移４４が発生する。これに対し、ディザ信号の同位相の点４０及び４６は、図１に示す発明ではリセット間隔を規定するので、遷移４４の発生は最小限に抑えられる。
以上説明した本発明の利点に照らせば、本発明の真の趣旨から逸脱せずに、本発明並びに先に説明した機能及び機能要素を全体として又は部分的に変更することが当業者には可能であろう。
【図１】
0004049822.tif 000002
【図２】
0004049822.tif 000003
(57)【特許請求の範囲】
【請求項１】
蓄圧室、釘を打ち込むためのピストンを内蔵しハンドルを有する出力部及び出力部の下方に釘が打ち出されるノーズ部を有する釘打機であって、前記ハンドルは水平方向に延びる筒形であり、その内部は全域にわたって圧縮空気の蓄圧室を形成し、後方端面のほぼ中央にハンドルの断面より小さい圧縮空気の流入口をハンドルにほぼ直列に設け、蓄圧室の後方端面内壁に設けられた流入口に薄い板状のフィルタを密着させて取り付けたことを特徴とする釘打機。
【発明の詳細な説明】
【０００１】
【発明の属する技術分野】
本発明は作業者が手で保持しエアホース等を介して供給される圧縮空気を動力源として釘を打ち込む釘打機に関するもので、その内部にゴミ等の不純物の進入を防止するフィルタを取り付けたことを特徴とするものである。
【０００２】
【従来の技術】
圧縮空気を動力源とする釘打機は、周知の如く、ピストンを往復動させる駆動部を内蔵し作業者が手で保持するハンドルを有する出力部及び出力部の下方には釘が順次打ち出されるノーズ部により構成される。釘打機は通常エアホースを介して圧縮空気の供給を受けるが、その際圧縮空気と共にゴミなどの不純物が釘打機内部に進入し内部の各部品を傷つける等正常な動作に支障をきたすという問題があった。このためゴミなどの不純物の進入を防ぐためのフィルタを設ける構成がいくつか提案されている。特公平７−１１２６７５号がその一例である。この特許においてフイルタがハンドル内部に設けられているため、釘打機内部に進入しようとした不純物はフィルタよりその先に進むことが防止されそこに止まる。
【０００３】
【発明が解決しようとする課題】
上記した釘打機においては、釘打機の内部においてフィルタより先にはゴミなどの不純物が進入することを防止できるが、フィルタの面積がハンドルの断面積と同じく大きなものとなってしまうこと、又長期にわたって使用した場合不純物がフィルタの目に詰まってしまうと共にフィルタの手前の小容積部に止まってしまうなどという問題があった。
【０００４】
本発明の目的は、上記した従来技術の欠点をなくし、フィルタを極力小さくし、フィルタの目に詰まった不純物や、フィルタの手前にある不純物を効率良く釘打機外部に排出でき、長期にわたる使用においてもフィルタの性能が落ちないすることである。
【０００５】
【課題を解決するための手段】
上記目的は、ハンドルの後方端面にハンドルの断面積よりも小さい圧縮空気の流入口を設け、流入口にフィルタを取り付けることにより達成される。
【０００６】
【発明の実施の形態】
以下図１〜図４を用いて本発明釘打機の一実施形態を説明する。図３に示すように釘打機は、圧縮空気の蓄圧室２、釘を打ち込むピストン８を内蔵し、作業者が手で保持するハンドル５を有する出力部６及び出力部６の下方に釘が順次打ち出される射出口を有するノーズ部７を有しており、ハンドル５内部は全域にわたって圧縮空気の蓄圧室２を形成している。そしてハンドル５の後方端面にはハンドル５の縦断面方向の断面積より小さい圧縮空気の流入口３が設けられ、併せて流入口３にフィルタ１が取り付けられている。
【０００７】
通常釘打機は、図４に示すように、圧縮空気の流入口３に設けられたプラグ４によりエアホース９と接続しそこから供給される圧縮空気を動力源とし使用する。釘打機内部にゴミなどの不純物の進入を防ぐフィルタ１はハンドル５の後方端面に取り付けられており、不純物はそこで濾過されるため蓄圧室２に不純物が入ることはない。又長期の使用によりフィルタ１の目、フィルタ１の手前にゴミなどの不純物がたまることが考えられるが、それらは釘打機を使用後エアホース９をはずすことにより釘打機内部の圧縮空気が外気に排出されるときの勢いにより同時に外部に排出される。フィルタ１はハンドル５後方端面の空気流入口３に取り付けられていることから、釘打機内部の圧縮空気はハンドル５内部を後方にほぼ直進することによりフィルタ１に当たり効率良く不純物を外部に排出することが可能となる。
【０００８】
図５は本発明の他の実施形態を示すもので、図のようにフィルタ１は流入口３の面積とほぼ同じであれば同様の効果を得ることが可能である。
【０００９】
【発明の効果】
以上のように本発明によれば、ハンドルの後方端面の圧縮空気流入口にフィルタを取り付けしたので長期間使用しても目詰まりしにくいと共に自己清掃機能を有するので、フィルタひいては釘打機を長期にわたって使用できるようになる。
【図面の簡単な説明】
【図１】本発明釘打機の要部の一実施形態を示す部分断面図。
【図２】図１をＡ方向から見た側面図。
【図３】本発明釘打機の一実施形態を示す一部断面正面図。
【図４】本発明釘打機の使用状態の一例を示す斜視図。
【図５】本発明釘打機の要部の他の実施形態を示す図２相当の側面図。
【符号の説明】
１はフィルタ、２は蓄圧室、３は流入口、５はハンドル、６は出力部、７はノーズ部、８はピストンである。
【図１】
0004049563.tif 000002
【図２】
0004049563.tif 000003
【図３】
0004049563.tif 000004
【図４】
0004049563.tif 000005
【図５】
0004049563.tif 000006
(57)【特許請求の範囲】
【請求項１】
ターンテーブルを駆動するモータと光ピックアップとが組み込まれたディスクプレーヤのモータ配線処理装置であって、
前記ターンテーブルと、該ターンテーブルを駆動するモータと、前記光ピックアップの駆動部分とが組み込まれたメカシャーシとを備え、
該モータの周囲を囲む部分と、該光ピックアップが制御動作する機構部を覆う部分との該メカシャーシに、該モータのリード線が引き出される引き出し口の形状を突出した形状とさせた押さえ板が設けられ、
該押さえ板の先端部の下面に凸部が設けられたことで、該押さえ板にて該モータの該リード線が押圧されて固定されたことを特徴とするディスクプレーヤのモータ配線処理装置。
【発明の詳細な説明】
【０００１】
【発明の属する技術分野】
本発明は、ディスクプレーヤのモータ配線処理装置に関する。
【０００２】
【従来の技術】
ディスクに記録されている信号を光学式ピツクアツプにより読み出すように構成されたポータブルＣＤプレーヤが普及している。斯かるポータプルＣＤプレーヤの機構部にはモータと光ピックアップが制御動作する機構部を覆う部分にはカバーが設けられるとともにカバーにはモータのリード線引出し口が設けらている。
【０００３】
図２は従来のポータブルＣＤプレーヤの蓋を取り外した状態であって、ターンテーブルを駆動するモータと光ピツクアツプ等を組み込んだ駆動装置がＣＤプレーヤ本体ケースに組み込まれた状態を示す平面図、図３は従来のポータブルＣＤプレーヤに使用されている要部を示す斜視図、図４は従来のポータブルＣＤプレーヤに使用されている要部を示す断面図である。
図２において、１はポータブルＣＤプレーヤーの本体ケース、２はモータにより駆動され、ディスクが載置されるターンテーブル、３はディスク等の信号記録媒体に対して、光学的に信号の読み取りを行う光ピツクアツプ、４はモータの周囲及び光ピツクアツプ３の駆動部分を囲む樹脂製のメカシャーシ、５はモータに接続されるリード線であり、図４に示す通り、モータ取り付け板６に取り付けられたモータに接続されている電源供給用の接続部を配置したプリント基板７が設けられ、該プリント基板７にリード線５を半田付け部８によって接続されている。
【０００４】
このようにメカシャーシ４にターンテーブル２を駆動するモータと光ピツクアツプ３等を組み込んだ駆動装置を組み込んだＣＤプレーヤは図２に示す通り隙間９にはリード線５が見えていた。
【０００５】
また、図４に示すようにプリント基板７に接続されたリード線５はフリー状態になっており半田付けの近傍のリード線５は自由方向に動くように構成されていた。
【０００６】
【発明が解決しようとする課題】
前述したように半田付け部８にて接続されたリード線５は接続部に対し保護がなされておらず、駆動装置をポータブルＣＤプレーヤのケース内に組み込み配線を行うが、コネクターを挿入する際に張力が加わることとなり、リード線５の半田付け部８の根元が疲労し断線することがあった。
【０００７】
また、図４に示す通り、ポータブルＣＤプレーヤ本体に駆動装置が組み込まれたモータのリード線５は、隙間９よりリード線５が見えており、美観を損なっていた。
【０００８】
本発明は、斯かる問題を解決したディスクプレーヤのモータ配線処理装置を提供しようとするものである。
【０００９】
【課題を解決するための手段】
本発明に係るディスクプレーヤのモータ配線処理装置は、ターンテーブルを駆動するモータと光ピックアップとが組み込まれたディスクプレーヤのモータ配線処理装置であって、前記ターンテーブルと、該ターンテーブルを駆動するモータと、前記光ピックアップの駆動部分とが組み込まれたメカシャーシとを備え、該モータの周囲を囲む部分と、該光ピックアップが制御動作する機構部を覆う部分との該メカシャーシに、該モータのリード線が引き出される引き出し口の形状を突出した形状とさせた押さえ板が設けられ、該押さえ板の先端部の下面に凸部が設けられたことで、該押さえ板にて該モータの該リード線が押圧されて固定されたことを特徴とする。
【００１０】
【実施例】
図１は本発明の一実施例の要部を示す斜視図、図５は本発明の要部を示す断面図であり、従来例にて説明した図２、図３及び図４と本発明に使用する図１及び図５について同一部品においてば同一符号を使用した。図１において、４ａはリード線５を固定する押さえ板であって、メカシャーシ４と一体的に成型されている。また、押さえ板４ａは図５に示す通り、押さえ板４ａの下面には凹部４ｂと先端部には凸部４ｃを形成している。
【００１１】
前記凹部４ｂは、プリント基板７とリード線５が接続される半田付け部８が当接しないように凹形状に成型され、前記凸部４ｃは該凸部４ｃとモータ取付け板６及びプリント基板７の間に配置されるリード線５を押圧することにより、リード線５の半田付け部８に張力が加わらないようにリード線５が固定される。
【００１２】
また、押さえ板４ａを形成した駆動部を本体ケース１に組み込まれた場合、図２に示した隙問９のリード線５の個所には前記押さえ板４ａが配置され、外見からは押さえ板４ａが見えることとなる。
【００１３】
【発明の効果】
以上の如く、請求項１記載の発明によれば、ターンテーブルを駆動するモータと光ピックアップとが組み込まれたディスクプレーヤのモータ配線処理装置であって、ターンテーブルと、ターンテーブルを駆動するモータと、光ピックアップの駆動部分とが組み込まれたメカシャーシとを備え、モータの周囲を囲む部分と、光ピックアップが制御動作する機構部を覆う部分とのメカシャーシに、モータのリード線が引き出される引き出し口の形状を突出した形状とさせた押さえ板が設けられ、押さえ板の先端部の下面に凸部が設けられたことで、押さえ板にてモータのリード線が押圧されて固定されたので、組み立て行程において、リード線に張力が加えられても接続部に負荷がかからず、半田にて接続されたリード線が断線することはない。
【００１４】
また、メカシャーシのリード線の引き出し口は突出した形状とされているので、ポータブルＣＤプレーヤ本体に駆動装置が組み込まれた完成品は、メカシャーシの隙間から見えていたリード線が見えず美観に優れている。
【図面の簡単な説明】
【図１】本発明の一実施例の要部を示す斜視図である。
【図２】従来のポータブルＣＤプレーヤに駆動装置が組み込まれた平面図である。
【図３】従来例の一実施例の要部を示す斜視図である。
【図４】従来例の一実施例の要部を示す断面図である。
【図５】本発明の一実施例の要部を示す断面図である。
【符号の説明】
２        ターンテーブル
３        光ピックアップ
４        メカシャーシ
４ａ        押さえ板
４ｃ        凸部
５        リード線
【図１】
0004049561.tif 000002
【図２】
0004049561.tif 000003
【図３】
0004049561.tif 000004
【図４】
0004049561.tif 000005
【図５】
0004049561.tif 000006